(57)【要約】【課題】  ハードウェア部品を交換したことによる記録画像の品質劣化を回避する。【解決手段】  ハードウェア部品（レーザ照射装置２１，エッジセンサ２５）の特性に基づくデータを用いて画像記録処理を行うソフトウェアが搭載され該ソフトウェアによって記録対象画像が光ビーム１５により感光材シート１４に記録される画像記録装置１０において、前記ソフトウェアで使用される前記データが格納される記憶手段２７と、前記ハードウェア部品が交換されたとき記憶手段２７に格納されている旧ハードウェア部品の前記データを新ハードウェア部品の前記データに書き換えるデータ更新手段２６とを備える。【選択図】  図３
2006076137.tif 000002
【特許請求の範囲】
【請求項１】
ハードウェア部品の特性に基づくデータを用いて画像記録処理を行うソフトウェアが搭載され該ソフトウェアによって記録対象画像が光ビームにより感光材シートに記録される画像記録装置において、前記ソフトウェアで使用される前記データが格納される記憶手段と、前記ハードウェア部品が交換されたとき前記記憶手段に格納されている旧ハードウェア部品の前記データを新ハードウェア部品の前記データに書き換えるデータ更新手段とを備えることを特徴とする画像記録装置。
【請求項２】
前記ハードウェア部品が前記光ビームを照射する光ビーム照射装置であり、前記データが前記記録対象画像の鮮鋭度を補正する補正係数値であることを特徴とする請求項１に記載の画像記録装置。
【請求項３】
前記ハードウェア部品が前記感光材シートのエッジ位置を検出するエッジセンサであり、前記データが該エッジセンサのオフセット量及び分解能の内の少なくとも一方であることを特徴とする請求項１または請求項２に記載の画像記録装置。
【発明の詳細な説明】
【技術分野】
【０００１】
本発明はレーザビーム等の光ビームによって感光材シートに画像を記録する画像記録装置に係り、特に、光ビーム照射装置等のハードウェア部品を交換したときの画質劣化等を回避する画像記録装置に関する。
【背景技術】
【０００２】
感光材シートを光ビームによって走査し、例えばＸ線画像やＣＴ画像等の画像を記録する画像記録装置では、使用する光ビームの特性に基づいて、例えば下記特許文献１に記載されている様に、記録対象画像データに対して鮮鋭度補正（周波数強調処理）を施してから、実際に光ビームによる走査を行う様になっている。
【０００３】
【特許文献１】特開２０００―６２２４６号公報
【発明の開示】
【発明が解決しようとする課題】
【０００４】
しかしながら、レーザダイオードや半導体レーザ装置等の光ビーム照射装置は、画像記録装置の使用期間が長期に渡るため、途中で製造中止になってしまうことがある。このため、画像記録装置の光ビーム照射装置が故障して新しい光ビーム照射装置に部品交換する必要が生じた場合、新しく設計された光ビーム照射装置に部品交換しなければならない事態が生じる。
【０００５】
光ビーム照射装置が新設計のものに交換されると、ビーム径，ビーム形状，光変調時のレスポンス，散乱光，最大光量などの特性が変更されてしまい、前の光ビーム照射装置の特性に基づいた補正係数のままで鮮鋭度補正が行われると、記録された画像の画質が劣化してしまうという問題が生じる。
【０００６】
上述した例は光ビーム照射装置の場合であるが、他のハードウェア部品が交換されたときも同様の問題が生じる。
【０００７】
本発明の目的は、ハードウェア部品を交換してその特性が部品交換前より変化した場合でも画質劣化等が生じない画像記録装置を提供することにある。
【課題を解決するための手段】
【０００８】
本発明の画像記録装置は、ハードウェア部品の特性に基づくデータを用いて画像記録処理を行うソフトウェアが搭載され該ソフトウェアによって記録対象画像が光ビームにより感光材シートに記録される画像記録装置において、前記ソフトウェアで使用される前記データが格納される記憶手段と、前記ハードウェア部品が交換されたとき前記記憶手段に格納されている旧ハードウェア部品の前記データを新ハードウェア部品の前記データに書き換えるデータ更新手段とを備えることを特徴とする。
【０００９】
この構成により、ハードウェア部品が交換された場合でも高品質の画像を記録することが可能となる。
【００１０】
本発明の画像記録装置は、前記ハードウェア部品が前記光ビームを照射する光ビーム照射装置であり、前記データが前記記録対象画像の鮮鋭度を補正する補正係数値であることを特徴とする。
【００１１】
この構成により、光ビーム照射装置が交換されビーム径や最大光量等が変化した場合でもそれに合わせて鮮鋭度補正係数値が更新されるため、画質劣化を回避することが可能となる。
【００１２】
本発明の画像記録装置は、前記ハードウェア部品が前記感光材シートのエッジ位置を検出するエッジセンサであり、前記データが該エッジセンサのオフセット量及び分解能の内の少なくとも一方であることを特徴とする。
【００１３】
この構成により、エッジセンサの特性データが違ってしまっても、感光材シートの中央に画像を記録することが可能となる。
【発明の効果】
【００１４】
本発明によれば、ハードウェア部品の交換によってソフトウェアを変更することなく、交換前と同様の画質の画像記録が可能となる。
【発明を実施するための最良の形態】
【００１５】
以下、本発明の一実施形態について、図面を参照して説明する。
【００１６】
図１は、本発明の一実施形態に係る画像記録装置の外観斜視図である。この画像記録装置１０は、上から順に３つのトレイ１１ａ，１１ｂ，１１ｃが設けられており、各トレイ１１ａ，１１ｂ，１１ｃに、大きさや感光材の異なる記録シートが装填可能となっている。図１は、一番上のトレイ１１ａを手前に引き出し、新しい記録シートを収納した遮光袋１２を載せた状態を図示している。尚、１６は、後述の記録シート排出部である。
【００１７】
図２は、画像記録装置１０の内部構成図である。画像記録装置１０には、３つのトレイ収納部１３ａ，１３ｂ，１３ｃが積層されており、各トレイ収納部１３ａ，１３ｂ，１３ｃに、夫々対応するトレイ１１ａ，１１ｂ，１１ａが収納される。各トレイ１１ａ，１１ｂ，１１ｃは、図２の紙面の手前側に引き出し可能となっている。
【００１８】
最上段のトレイ収納部１３ａの更に上部には、画像記録部２０と、現像部３０と、冷却部４０とが設けられており、いずれかのトレイから取り出された１枚の記録シート１４は、搬送路１７に沿って先ず画像記録部２０に搬送され、ここで、レーザビーム１５によって画像情報が潜像として記録される。この記録シート１４は現像部３０に送られて加熱現像され、次に冷却部４０に送られ図示しない冷却ファンによって風冷され、その後、画像記録装置１０の上面に設けられた記録シート排出部１６に排出される。
【００１９】
図３は、画像記録装置１０の電気制御系の要部ブロック構成図である。画像記録装置１０は、レーザビーム照射装置２１と、レーザビーム照射装置２１から照射されたレーザビーム１５を記録シート１４上に走査するポリゴンミラー２２と、図示しないＭＲＩ装置，Ｘ線装置等の画像撮影装置にＬＡＮ（ローカルエリアネットワーク）等を介して接続されこれら画像撮影装置から送られてくる画像データを取り込み保存する画像データ用メモリ２３と、画像データ用メモリ２３に格納された画像データを取り出して鮮鋭度補正等の画像処理を施し画像処理済みの画像データをレーザビーム照射装置２１に出力して該画像データを記録シート１４に記録させる画像処理部２４とを備える。
【００２０】
画像記録装置１０は、更に、記録シート１４のエッジ位置を検出するエッジセンサ２５と、画像記録装置１０を統括制御する制御部２６と、画像記録装置１０の各部を制御するときに必要となるデータを格納したデータメモリ２７とを備える。
【００２１】
制御部２６は、データメモリ２７から読み出した鮮鋭度補正係数値を画像処理部２４に渡すと共に、レーザビーム照射装置２１のレーザ強度補正を行い、また、エッジセンサ２５の検出信号を基に記録シート１４の真ん中に画像が記録されるように制御する。
【００２２】
データメモリ２７には、主走査方向の鮮鋭度補正係数値や副走査方向の鮮鋭度補正係数値、エッジセンサ２５の分解能、エッジセンサ２５のオフセット量などの固有パラメータ値、濃度補正パラメータ値等が格納されている。尚、データメモリ２７は、制御部２６に内蔵されていてもよい。
【００２３】
制御部２６は、画像記録用アプリケーションソフトウェアを実行するとき、このソフトウェアが必要とするデータをデータメモリ２７から読み出して実行する。例えば、画像処理部２４に鮮鋭度補正係数値を出力する場合には、データメモリ２７に格納されている鮮鋭度補正係数値を読み出して画像処理部２４に出力する。更に、濃度補正を行う場合には濃度補正パラメータ値をデータメモリ２７から読み出して使用する。
【００２４】
制御部２６は、また、記録シート１４の真ん中位置を計算する場合には、エッジセンサ２５の検出信号値を読み出して計算し、記録シート１４のどの位置からレーザ走査を開始すれば画像が記録シート１４の真ん中位置に描きこまれるかをレーザビーム照射装置２１に指示する。この計算を行う場合、エッジセンサ２５のオフセット量のデータや分解能のデータを含めて計算する必要があり、これらのデータをデータメモリ２７から読み出して実行する。
【００２５】
レーザビーム照射装置２１が部品交換された場合には、レーザビーム径，ビーム形状，光変調時のレスポンス，散乱光，最大光量などの特性が交換前のレーザビーム照射装置と異なるため、鮮鋭度補正で必要となる補正係数値も異なってくる。また、エッジセンサ２５が部品交換されると、そのオフセット量や分解能も異なってくる。
【００２６】
そこで、本実施形態の画像記録装置１０に搭載された制御部２６は、新しいハードウェア部品のデータ（上記例では、鮮鋭度補正係数値のデータ、オフセット量のデータ、分解能のデータ、濃度補正パラメータ値）を、フレキシブルディスク（ＦＤ）２８や他の記憶メディアから読み込み、データメモリ２７内の該当データを書き換える構成とする。
【００２７】
画像記録装置１０自身が記憶メディアの読み込み装置を搭載していれば、記憶メディアのデータを直接読み込むことができるが、ＬＡＮ接続された他のパーソナルコンピュータから読み込んだデータで制御部２６がデータメモリ２７を書き換えることでも良く、あるいは、製造メーカのホームページからインターネットを介してダウンロードしたデータで制御部２６がデータメモリ２７を書き換える構成でもよい。
【００２８】
このように、画像記録装置のソフトウェアを実行するときに該ソフトウェアで必要となるデータをデータメモリ２７から読み出して使用する構成とし、このデータメモリ２７の格納データを更新できる構成とすることで、ソフトウェアを変更することなく、交換された新しい部品に合わせた画像記録が可能となり、高画質な画像を得ることが可能となる。
【産業上の利用可能性】
【００２９】
本発明によれば、部品交換されたとき新しいハードウェア部品に合ったデータで画像処理等の制御が行われるため、高品質な画像を提供することができ、例えば医療用画像を記録する画像記録装置に有用である。
【図面の簡単な説明】
【００３０】
【図１】本発明の一実施形態に係る画像記録装置の外観斜視図である。
【図２】図１に示す画像記録装置の内部構成図である。
【図３】図１に示す画像記録装置の電気制御系の要部ブロック構成図である。
【符号の説明】
【００３１】
１０  画像記録装置
１４  感光材シート（記録シート）
１５  レーザビーム
２０  画像記録部
２１  レーザビーム照射装置
２２  ポリゴンミラー
２３  画像データ用メモリ
２４  画像処理部
２５  エッジセンサ
２６  制御部
２７  テーブルデータメモリ
２８  フレキシブルディスク（記憶メディア）
【図１】
2006076137.tif 000003
【図２】
2006076137.tif 000004
【図３】
2006076137.tif 000005